(57)【特許請求の範囲】
【請求項１】
印刷領域と非印刷領域を有する版胴と、前記印刷領域よりも前記母線方向の寸法が大きく前記版胴の外部に設けられて前記版胴の外面に印刷用紙を押し付けるプレスローラを有する輪転式孔版印刷機に設けられるインク漏れ防止装置において、
輪転式孔版印刷機の版胴の回転方向に関して前記印刷領域の後端部分の外面に設けられており、前記印刷領域の後端部分の外面との間及び前記回転方向と直交する母線方向について前記印刷領域の後端部分の両側にある前記非印刷領域の外面との間に、前記回転方向の前方側が開放された空間を構成するインク遮蔽部材と、
前記インク遮蔽部材によって覆われている前記非印刷領域に、該非印刷領域と前記インク遮蔽部材との間の前記空間に溜まったインクを前記版胴の内部に戻すために形成された開口部とを有することを特徴とする輪転式孔版印刷機のインク漏れ防止装置。
【請求項２】
前記インク遮蔽部材は形状復元性を有することを特徴とする請求項１記載の輪転式孔版印刷機のインク漏れ防止装置。
【請求項３】
前記開口部が複数の孔から構成されている請求項１又は２記載の輪転式孔版印刷機のインク漏れ防止装置。
【請求項４】
前記開口部は、前記プレスローラが前記インク遮蔽部材に押圧力を与えて変形させたときに、前記空間に溜まったインクが前記版胴の内部に戻るような位置に形成されていることを特徴とする請求項１又は２記載の輪転式孔版印刷機のインク漏れ防止装置。
【請求項５】
前記インク遮蔽部材の前記非印刷領域を覆っている部分に前記回転方向の前方に突出した閉止片部を設け、
前記プレスローラが前記インク遮蔽部材を変形させたときに前記閉止片部が前記非印刷領域の外面に接触することにより、前記非印刷領域と前記インク遮蔽部材との間に構成された前記空間の前記開放部が閉止されるように構成したことを特徴とする請求項１又は２記載の輪転式孔版印刷機のインク漏れ防止装置。
【請求項６】
前記インク遮蔽部材は、基部材と覆い部材を有しており、
前記基部材は、前記版胴の回転方向に関する前記印刷領域の後端部分及び前記回転方向及び前記母線方向について前記後端部分に隣接する前記非印刷領域に設けられた所定の厚さを有する部材であって、前記印刷領域の後端部分の上に間隔をおいて並ぶ複数の片部と、前記母線方向について前記後端部分に隣接する前記非印刷領域の上に設けられた区画片部を備えており、
前記覆い部材は、前記基部材の上に設けられ、前記片部と前記区画片部と前記印刷領域と前記非印刷領域との間に空間を画成する弾性を備えた部材であり、
前記閉止片部は前記覆い部材の一部を前記回転方向の前方に向けて延設したものである請求項５記載の輪転式孔版印刷機のインク漏れ防止装置。
【発明の詳細な説明】
【０００１】
【産業上の利用分野】
本発明は、孔版原紙が装着されて回転する円筒状の版胴を備えた輪転式孔版印刷装置に設けられ、版胴に巻かれた孔版原紙の後端部からのインク漏れを防止するインク漏れ防止装置に関する。
【０００２】
【従来の技術】
図６は従来の一般的な輪転式孔版印刷機の概略構成を示す断面図である。輪転式孔版印刷機の版胴４は、円筒状の周壁２を有している。周壁２は、多数の開口１８が形成されてインクが通過する印刷領域２０と、開口１８が形成されていないインクの通過しない非印刷領域２２とを有している。印刷領域２０は略矩形状であり、その周りを非印刷領域２２が囲んでいる。この周壁２の外周面には、インクを通過させるメッシュ状のスクリーン６が巻かれている。製版された孔版原紙８は、回転方向Ｒの先方側の一端部を版胴４に固定され、このスクリーン６の上に巻かれる。版胴４の内側にはドクターローラ１０とスキージローラ１２とが設けられ、これらローラ１０、１２間に滞留するインク１４がスキージローラ１２を介して周壁２の内面に供給される。スキージローラ１２の軸方向の寸法は、印刷領域２０の母線方向の寸法（印刷領域２０の幅）と同じである。版胴４の外側下方にはプレスローラ１６が平行に設けられている。プレスローラ１６は、その軸方向の寸法が前記印刷領域２０の母線方向の寸法よりも大きく、かつ前記印刷領域２０を母線方向の全長にわたってカバーするように版胴４に対して配置されている。プレスローラ１６は、版回転駆動される版胴４との間に供給される印刷用紙を版胴４に巻かれた孔版原紙に押しつけ、これによって該印刷用紙にインクが転移して印刷が行われる。
【０００３】
一般に上記のような輪転式孔版印刷機で印刷を行う際には、前述のようにプレスローラ１６が印刷用紙を介して版胴４の外周面を押圧する。版胴４の外側に巻回されたスクリーン６には印刷に伴いインクが充填される。このスクリーン６に含まれたインクは、印刷時にプレスローラ１６に押されて周壁２に沿って版胴４の回転方向の後方側に進んでいき、孔版原紙の非製版部の裏側にたまる。このインクは、やがて孔版原紙の後端側又は後端部の側方から孔版原紙の表側に漏れ出して印刷用紙の汚損などの不具合をもたらす。
【０００４】
本願出願人は、上記のような輪転式孔版印刷機においてインク漏れを防止するために、版胴２の回転方向について印刷領域２０の後端部（図６において符号Ａで示す部分）に、図７に示すようなインク遮蔽部材を装着することを特願平６−２９３２５７号（特開平８−１５０７６８号にて公開）にて提案した。このインク遮蔽部材３０は基部材３１と覆い部材３２を有する。基部材３１は、適当な厚さの樹脂シートからなる略短冊状の部材であり、円筒状の版胴４の母線方向、即ち版胴の回転方向と直交する版胴の母線方向に対して平行となるように周壁２の外面に取り付けられている。版胴４の母線方向における基部材３１の長さは、版胴４に形成された多数の開口１８を、版胴４の母線方向において覆うことができるだけの長さとなっている。即ち、版胴４の母線方向における基部材３１の長さは、版胴４の印刷領域２０の幅よりも大きく、母線方向について印刷領域２０の両側の非印刷領域２２にはみ出した状態となっている。版胴２の回転方向Ｒに関して基部材３１の後方側の半部は、接着層３３を介して周壁２の非印刷領域２２の外周面に固着されている。版胴２の回転方向Ｒに関して基部材３１の前方側の半部は、複数の略三角形状の片部３４として形成され、前記版胴２の印刷領域２０上に所定の間隔をおいて並んでいる。これらの片部３４は版胴２の印刷領域２０の外面側において、印刷領域２０の後端部を部分的に覆っているが、印刷領域２０の版胴の表面に接着されてはいない。また、基部材３１の前方側の半部の両端は非印刷領域２２の上にあるが、当該部分には略矩形状の側片部３５が形成されており、側片部３５と最も外側の片部３４との間には印刷領域２０から非印刷領域２２に連続する間隔が設けられている。
【０００５】
覆い部材３２は、弾性乃至形状復元性を有する薄片状の部材であり、樹脂又は金属等よりなる。覆い部材３２は、前記基部材３０の上面に図示しない接着層を介して固着されている。
【０００６】
覆い部材３２と、前記基部材３０の隣接する片部３４，３４と、前記版胴４の印刷領域２０の外面との間には、インクを収納するための空間３６が画成される。この空間３６は、版胴４の印刷領域２０の外面側であって、版胴４の回転方向Ｒに関して印刷領域２０の後部に位置する。
【０００７】
また、覆い部材３２と側片部３５及び片部３４との間には、空間が区画されてポケット部３７とされており、印刷時にプレスローラ１６によって覆い部材３２が押されたときに、覆い部材３２で覆われた印刷領域２０の全体に対して均一にプレス圧が加わるようになっている。また、このポケット部３７は、片部３４と片部３４の間の印刷領域２０から非印刷領域２２に流出してくるインクを一時的に溜めるための空間としても機能する。
【０００８】
印刷時には、プレスローラ１６の押圧によってしみ出たインクは版胴４の外周面を回転方向Ｒの前方から後方へ向かう。即ち、インクは版胴４の外周面において、版胴４の回転方向（矢印Ｒ）と反対方向に移動する。このインクは、版胴４の外周面とインク遮蔽部材３０との間に画成された空間３６内に流入する。印刷時、覆い部材３２がプレスローラ１６によって押圧されると、覆い部材３２は版胴４の内方に向けて弾性的に撓み、前記空間３６の容積は減少する。このため、前記空間３６内のインクは版胴４の開口１８から版胴４の内側に戻される。覆い部材３２は弾性乃至形状復元性を有するので、プレスローラ１６が離れれば元の形状を回復し、空間３６の容積は元に戻る。また、片部３４と片部３４の間の印刷領域２０から非印刷領域２２にインクが流出しても、インクはポケット部３７に溜まるので、印刷領域２０の側方の非印刷領域２２に流出することはない。
【０００９】
【発明が解決しようとする課題】
しかし、インク遮蔽部材３０の両端に設けられたポケット部３７にはインクの逃げ場が設けられていないため、図８（ａ）に示すようにポケット部３７に溜まったインク２４は、図８（ｂ）に示すように印刷時にプレス圧を受けて矢印で示すように側方へ漏れていってしまう。このように、従来のインク漏れ防止技術は一時的な対策にすぎず、印刷領域２０の側方の非印刷領域２２にインクが漏れることを十分に防止しうるものではなかった。
【００１０】
本発明は、上記の如き事情に鑑みてなされたものであり、輪転式孔版印刷機において版胴に装着された孔版原紙の後端部の側方側からインクが漏れ出る現象を完全に防止し、印刷を安定して行うことができるようにすることを目的としている。
【００１１】
【課題を解決するための手段】
請求項１に記載された輪転式孔版印刷機のインク漏れ防止装置は、印刷領域と非印刷領域を有する版胴と、前記印刷領域よりも前記母線方向の寸法が大きく前記版胴の外部に設けられて前記版胴の外面に印刷用紙を押し付けるプレスローラを有する輪転式孔版印刷機に設けられるものであり、インク遮蔽部材（３０）を備えている。このインク遮蔽部材は、印刷領域（２０）と非印刷領域（２２）を有する輪転式孔版印刷機の版胴（４）の回転方向（Ｒ）に関して前記印刷領域の後端部分の外面に設けられており、前記印刷領域の後端部分の外面との間及び前記回転方向と直交する母線方向について前記印刷領域の後端部分の両側にある前記非印刷領域の外面との間に、前記回転方向の前方側が開放された空間（３６，３７）を構成する部材である。そして、請求項１に記載された輪転式孔版印刷機のインク漏れ防止装置の特徴は、前記インク遮蔽部材（３０）によって覆われている前記非印刷領域（２２）に、該非印刷領域と前記インク遮蔽部材との間の前記空間（３７）に溜まったインクを前記版胴の内部に戻すための開口部（４０，４４）を形成した点にある。
【００１２】
請求項２に記載された輪転式孔版印刷機のインク漏れ防止装置は、請求項１記載の輪転式孔版印刷機のインク漏れ防止装置において、前記インク遮蔽部材（３０）が形状復元性を有することを特徴とする。
【００１３】
請求項３に記載されたインク漏れ防止装置は、請求項１又は２記載の輪転式孔版印刷機のインク漏れ防止装置において、前記開口部（４０）が複数の孔から構成されていることを特徴としている。
【００１４】
請求項４に記載されたインク漏れ防止装置は、請求項１又は２記載の輪転式孔版印刷機のインク漏れ防止装置において、前記開口部（４０，４４）が、前記プレスローラが前記インク遮蔽部材に押圧力を与えて変形させたときに、前記空間（３７）に溜まったインクが前記版胴の内部に戻るような位置に形成されていることを特徴とする。
【００１５】
請求項５に記載されたインク漏れ防止装置は、請求項１又は２記載の輪転式孔版印刷機のインク漏れ防止装置において、前記インク遮蔽部材の前記非印刷領域（２２）を覆っている部分に前記回転方向の前方に突出した閉止片部（４２）を設け、前記プレスローラが前記インク遮蔽部材を変形させたときに前記閉止片部が前記非印刷領域の外面に接触することにより、前記非印刷領域と前記インク遮蔽部材との間に構成された前記空間（３７）の前記開放部が閉止されるように構成したことを特徴とする。
【００１６】
請求項６に記載されたインク遮蔽部材は、請求項５記載の輪転式孔版印刷機のインク漏れ防止装置において、前記インク遮蔽部材（３０）が、基部材（３１）と覆い部材（３２）を有しているものである。そして、前記基部材は、前記版胴（４）の回転方向（Ｒ）に関する前記印刷領域（２０）の後端部分及び前記回転方向及び前記母線方向について前記後端部分に隣接する前記非印刷領域（２２）に設けられた所定の厚さを有する部材であって、前記印刷領域の後端部分の上に間隔をおいて並ぶ複数の片部（３４）と、前記母線方向について前記後端部分に隣接する前記非印刷領域の上に設けられた側片部（３５）を備えている。また、前記覆い部材は、前記基部材の上に設けられ、前記片部と前記側片部と前記印刷領域と前記非印刷領域との間に空間（３６，３７）を画成する弾性を備えた部材であり、前記閉止片部（４２）は前記覆い部材の一部を前記回転方向の前方に向けて延設したものである。
【００１７】
【作用】
印刷時、インクは版胴（４）の外周面を回転方向（Ｒ）の前方から後方へ移動し、版胴の外周面とインク遮蔽部材（３０）との間に形成された空間（３６，３７）に流入する。インク遮蔽部材がプレスローラ（１６）によって押圧されると、前記印刷領域（２０）とインク遮蔽部材との間の空間（３６）内にあるインクは、版胴の開口部（１８）から版胴の内側に戻される。また、インク遮蔽部材の母線方向の両端部にある各側片部（３５）と非印刷領域（２２）と覆い部材（３２）とにより区画される空間（３７）内のインクは、開口部（４０）から版胴内に戻される。よって、印刷領域に設けられた孔版原紙の後端部から側方側に向けてインクが漏れ出る現象は完全に防止できる。
【００１８】
また、インク遮蔽部材（３０）がプレスローラ（１６）によって押圧されて変形した際、非印刷領域（２２）を覆うインク遮蔽部材の閉止片部（４２）は、インク遮蔽部材の本体の変形に伴って移動乃至変形し、版胴の非印刷領域に接触してインク遮蔽部材と非印刷領域の間の空間（３７）の前方の開放部を閉止する。従って、プレスローラがインク遮蔽部材を押圧して前記空間内のインクを加圧した際、インクは開放部から漏れ出ることなく、開口部（４０）から版胴内に確実に押し戻される。
【００１９】
【発明の実施の形態】
本発明の実施の形態を図１〜図５を参照して説明する。本発明の実施の形態におけるインク遮蔽部材を含む輪転式孔版印刷装置の基本的構成は、従来の技術の項において図６及び図７を参照して説明したものと同一である。また、図１〜図５においては版胴の本体の外周に巻かれたスクリーンは図示していない。
【００２０】
図１及び図２に示すように、版胴４の印刷領域２０の外面側であって、かつ版胴４の回転方向（矢印Ｒ）に関して周壁２の印刷領域２０の後方の位置には、インク遮蔽部材３０が設けられている。インク遮蔽部材３０は、基部材３１と覆い部材３２を有する。
【００２１】
図１に示すように、基部材３１は、適当な厚さの樹脂シートからなる略短冊状の部材であり、円筒状の版胴４の母線方向に対して平行に周壁２の外面に取り付けられている。ここで、母線とは、版胴の回転軸に平行な版胴の表面上の仮想的な直線を意味し、従って母線は版胴の回転方向Ｒに対して直交する。版胴４の母線方向に関する基部材３１の長さは、版胴４に形成された多数の開口１８の全体を、版胴４の母線方向において覆うだけの長さとなっている。即ち、基部材３１の母線方向の寸法は、版胴の印刷領域２０の母線方向の寸法（印刷領域２０の幅）よりも大きい。
【００２２】
版胴４の回転方向Ｒに関して基部材３１の後方側の半部は、接着層３３を介して周壁２の非印刷領域２２の外周面に固着されている。版胴４の回転方向Ｒに関して基部材３１の前方側の半部は、版胴４の印刷領域２０の外面側において、版胴４の回転方向Ｒに関して印刷領域２０の後方の一部分を覆っており、この部分には複数の略三角形状の片部３４が連続して形成され、前記版胴４の印刷領域２０上に所定の間隔をおいて並んでいる。
【００２３】
また、基部材３１の長手方向である母線方向の両端には、側片部３５がそれぞれ設けられている。側片部３５は略矩形であり、基部材３１の後方部の端部から回転方向Ｒの前方に先端を向けて延設されている。これらの側片部３５は、母線方向について印刷領域２０の後端部分に隣接する２箇所の非印刷領域２２上にそれぞれ配置されている。
【００２４】
この側片部３５と、最も外側の２つの片部３４との間の非印刷領域２２には、印刷領域２０の開口１８とは異なる開口部４０が形成されている。開口部４０は、複数の通孔であって、最も外側の片部３４と側片部３５との間の非印刷領域２２に溜まったインク２４を版胴４の内部に戻すために設けられている。
【００２５】
図１に示すように、覆い部材３２は薄片状の部材であり、弾性乃至形状復元性を有し、樹脂又は金属等よりなる。覆い部材３２は、前記基部材３０の上面に図示しない接着層を介して固着されている。
【００２６】
図１及び図２に示すように、覆い部材３２と、前記基部材３０の隣接する片部３４，３４と、前記版胴４の印刷領域２０の外面との間には、インクを収納するための空間３６が画成される。この空間３６は、版胴４の印刷領域２０の外面側であって、版胴４の回転方向Ｒに関して印刷領域２０の後部に位置している。この空間３６の回転方向Ｒの前面側は開放部とされており、印刷に伴って図示しないスクリーン内を移動してきたインクはこの開放部から空間３６内に入る。
【００２７】
図１及び図２に示すように、覆い部材３２と、最も外側の片部３４と、側片部３５と、非印刷領域２２の外面との間には、インクを収納するための空間 (以下、ポケット部３７と呼ぶ）が画成される。このポケット部３７の回転方向Ｒの前面側も開放部とされている。
【００２８】
ポケット部３７の覆い部材３２の前縁部は、回転方向Ｒの前方に向けて庇状に延設されている。当該部分を閉止片部４２と呼ぶ。閉止片部４２の回転方向Ｒについての長さは、プレスローラの押圧により、開放部を閉止するだけの長さが必要である。
【００２９】
図２及び図３に示すように、印刷時にプレスローラ１６がインク遮蔽部材３０を変形させたとき、閉止片部４２は非印刷領域２２の外面に接触してポケット部３７の開放部を閉止する。従って、プレスローラ１６に加圧されたポケット部３７内のインク２４は開放部から外に出ることなく、加圧されて前記開口部４０から版胴４内に戻ることができる。
【００３０】
本例において、印刷時には、プレスローラ１６の押圧によってしみ出たインクは版胴４の外周面を版胴回転方向Ｒの前方から後方へ向かう。即ち、インクは版胴４の外周面において矢印Ｒと反対方向に移動する。このインクは、版胴４の外周面とインク遮蔽部材３０との間に画成された空間３６内に流入するので、インク遮蔽部材３０の外周面側に漏れ出すことはない。
【００３１】
印刷時、インク遮蔽部材３０の覆い部材３２がプレスローラ１６によって押圧されると、覆い部材３２は版胴４の内方に向けて弾性的に撓み、前記空間３６の容積は減少する。このため、前記空間３６内のインクは版胴４の開口１８から版胴４の内側に戻されるので、空間３６内のインクがインク遮蔽部材３０の外周面側に漏れ出すことはない。覆い部材３２は弾性乃至形状復元性を有するので、プレスローラ１６が離れれば元の形状を回復し、空間３６の容積は元に戻る。
【００３２】
また、図２及び図３に示すように、印刷時にプレスローラ１６がインク遮蔽部材３０を変形させたとき、閉止片部４２は非印刷領域２２の外面に接触してポケット部３７の開放部を閉止する。即ち、閉止片部４２が蓋となってポケット部３７の開放部を閉じる。
【００３３】
また、母線方向についての印刷領域２０の幅と、版胴４内のスキージローラ１２の軸方向の長さは同じであり、版胴４外にあるプレスローラ１６の軸方向の長さはこれらの寸法よりも大きい。よって、印刷時にプレスローラ１６がインク遮蔽部材３０を変形させたときは、ポケット部３７には版胴４の内側からの力は働かずプレスローラ１６により専ら版胴４の外側からの力が働く。
【００３４】
従って、ポケット部３７内のインクはプレスローラ１６に加圧され、開放部から外に出ることなく、開口部４０から版胴４内に戻される。よって、ポケット部３７に溜まったインクが側方側に向けて漏れ出る現象は完全に防止できる。
【００３５】
本例において、前記閉止片部４２を非印刷領域２２に常時接触させておく等、ポケット部３７の前面側を常時閉止しておく構造とすれば、インクが誤って外に漏れる不都合がおきる可能性は減少するが、かかる構造の閉止片部４２はポケット部３７をプレス圧で潰れにくくするので、プレスローラ１６によるプレス圧はポケット部３７のインクに加わり難くなる。
【００３６】
本例では、閉止片部４２はポケット部３７の開放部を通常は開放しており、プレスローラに加圧されたときだけ開放部を閉止する構造なので、ポケット部３７はプレス圧によって潰れやすく、内部のインクを加圧して版胴４内に戻しやすい。
【００３７】
本例では、ポケット部３７の非印刷領域２２に形成した開口部４０は印刷領域２０の開口１８よりも便宜上小径の円形としたが、印刷領域２０の開口部の大きさに依存しないので、印刷領域２０の開口部より大きくても小さくてもよい。また、図５に示すように、ポケット部３７の非印刷領域２２の全体を版胴の内部に通じる穴４４としてもよい。インクを戻すためには、この図５の例の穴４４のように開口面積はなるべく大きい方がよいが、当該部分は印刷時に圧力を受ける部分なので機械的強度も検討する必要があり、両方の面から実際の形状を決定すれば良い。
【００３８】
図１に示すようにポケット部３７の非印刷領域２２に部分的な開口部４０を設ける場合に、当該非印刷領域２２のいかなる位置に開口部４０を形成すべきかについて説明する。図４は、母線方向を左右方向として表した版胴４の表面の拡大断面図であって、プレスローラ１６がインク遮蔽部材３０を押圧しているときの覆い部材３２の変形状態を示すものである。この図に示すように、プレスローラ１６に押圧された覆い部材３２は版胴４の表面に密着して開口部４０を閉止するが、その際、開口部４０を閉止している部分と側片部３５の上面との間には段差部４６が生じるので、当該段差部４６ではプレスローラ１６のプレス圧が内部の空間に伝わらない。よって、開口部４０は、この段差部４６から離れており、押圧されて変形した覆い部材３２が版胴４の表面に密着しうる図示のような位置に形成するほうが効果的である。
【００３９】
本例では、基部材３１、片部３４及び側片部３５が非変形部材で、プレスローラ１６を押圧することで、覆い部材３２を弾性変形させ、各空間部を圧縮し、インクを版胴４の内部に戻している構成であるが、これに限らず、空間部を圧縮することができる構成であれば良い。例えば、基部材３１、片部３４及び側片部３５を弾性部材とし、覆い部材を非変形部材としても同様の効果が得られる。
【００４０】
【発明の効果】
本発明に係る輪転式孔版印刷機のインク漏れ防止装置によれば、版胴に装着された孔版原紙の後端側又は側方からインクがしみ出る現象を防止し、印刷を安定して行うことができる。
【図面の簡単な説明】
【図１】本発明の実施の形態に係るインク漏れ防止装置を有する輪転式孔版印刷機の版胴におけるインク遮蔽部材付近の一部切り欠き斜視図である。
【図２】（ａ）は、本発明の実施の形態に係るインク漏れ防止装置を有する輪転式孔版印刷機におけるインク遮蔽部材付近の平面図であり、（ｂ）は、同平面図において印刷に際して変形する閉止片部４２を明示した図である。
【図３】本発明の実施の形態に係るインク漏れ防止装置を有する輪転式孔版印刷機の断面図であって、印刷時にプレスロールがインク遮蔽部材を押圧している状態を示す図である。
【図４】図１の矢印Ａ方向から見た本発明の実施の形態の断面図であって、印刷時にプレスロールがインク遮蔽部材を押圧している状態を示す図である。
【図５】本発明の実施の形態に係るインク漏れ防止装置を有する輪転式孔版印刷機の版胴において、ポケット部の版胴に大きな開口部を設けた状態を示す一部切り欠き斜視図である。
【図６】一般的な輪転式孔版印刷機の概略構成を示す図である。
【図７】従来のインク漏れ防止装置を有する輪転式孔版印刷機の版胴におけるインク遮蔽部材付近の一部切り欠き斜視図である。
【図８】（ａ）は、従来のインク漏れ防止装置を有する輪転式孔版印刷機におけるインク遮蔽部材付近の平面図であり、（ｂ）は、同平面図において印刷に際してポケット部からインクが漏れる状態を明示した図である。
【符号の説明】
２  周壁
４  版胴
１６  プレスローラ
２０  印刷領域
２２  非印刷領域
３０  インク遮蔽部材
３１  基部材
３２  覆い部材
３４  片部
３５  側片部
３６  空間
３７  空間としてのポケット部
４０  開口部
４２  閉止片部
４４  開口部としての孔
【図１】
0003798958.tif 000002
【図２】
0003798958.tif 000003
【図３】
0003798958.tif 000004
【図４】
0003798958.tif 000005
【図５】
0003798958.tif 000006
【図６】
0003798958.tif 000007
【図７】
0003798958.tif 000008
【図８】
0003798958.tif 000009